(57)【要約】【課題】動画撮影中に電池切れや電池交換が起こっても撮影途中の動画ファイルを消失することなしに再生可能な状態で保存することができる電子撮像装置を提供する。【解決手段】動画を撮影可能な電子撮像装置であって、動画撮影を開始又は終了させるための操作部９と、撮像手段としてのＣＣＤ１７と、撮像された動画を分割し、それぞれ独立した複数の動画ファイルとして記録メディア１６に記録する制御を行うＣＰＵ１０と、分割記録された動画ファイルを１つの動画ファイルに合成するＣＰＵ１０とを具備し、動画撮影が開始されたときに、撮影された動画をＣＰＵ１０により分割して記録するとともに、動画撮影が終了されたときに、分割記録されている複数の動画ファイルを１つの動画ファイルに合成して記録する。【選択図】        図１
2005236501.tif 000002
【特許請求の範囲】
【請求項１】
動画を撮影可能な電子撮像装置であって、
撮像手段と、
前記撮像手段により動画を撮像しているときに、所定の条件を満たすまでに撮像された動画を、該所定の条件を満たした後に撮像された動画とは独立した複数の動画ファイルとして記録媒体に記録する制御を行う制御手段と、
を具備することを特徴とする電子撮像装置。
【請求項２】
前記独立した複数の動画ファイルは、それぞれが所定の動画フォーマットに準じた形態を有することを特徴とする請求項１記載の電子撮像装置。
【請求項３】
動画を撮影可能な電子撮像装置であって、
動画撮影を開始又は終了させるための操作手段と、
撮像手段と、
前記撮像手段により撮像された動画を分割し、それぞれ独立した複数の動画ファイルとして記録媒体に記録する制御を行う制御手段と、
分割記録された前記動画ファイルを１つの動画ファイルに合成する動画合成手段と、
を具備し、
前記操作手段により動画撮影が開始されたときに、撮影された動画を前記制御手段により分割して記録媒体に記録するとともに、前記操作手段により動画撮影が終了されたときに、前記動画合成手段により、前記分割記録されている複数の動画ファイルを１つの動画ファイルに合成して記録媒体に記録することを特徴とする電子撮像装置。
【請求項４】
前記記録媒体には、前記動画ファイルを記録するときに動画ファイルが分割されて記録されているかあるいは分割されずに１つの動画ファイルとして記録されているかを識別するためのファイル形態識別情報が記録されることを特徴とする請求項１〜３のいずれかに記載の電子撮像装置。
【請求項５】
前記ファイル形態識別情報は、動画ファイルのファイル名、付加情報、情報ファイルの少なくとも１つであることを特徴とする請求項４記載の電子撮像装置。
【請求項６】
前記動画合成手段により動画の一部が合成されて記録媒体に記録されるときに、当該合成に使用した複数の動画ファイルを上書きすることを特徴とする請求項３〜５のいずれかに記載の電子撮像装置。
【請求項７】
前記動画合成手段は複数の動画ファイルからなるストリームデータをシーケンシャルに合成するとともに、前記複数の動画ファイルの付加情報に基づいて当該合成により新たに作成された動画ファイルの付加情報を生成することを特徴とする請求項３〜５のいずれかに記載の電子撮像装置。
【請求項８】
動画を撮影可能な電子撮像装置であって、
撮像手段と、
電池の残量を監視する電池残量監視手段と、
前記撮像手段により撮像された動画を分割し、それぞれ独立した複数の動画ファイルとして記録媒体に記録する第１の記録モードと、動画を１つのファイルとして記録媒体に記録する第２の記録モードとを有し、前記電池残量監視手段による監視結果に基づいて、前記第１の記録モードまたは前記第２の記録モードを選択して動画の記録を行う制御手段と、
を具備することを特徴とする電子撮像装置。
【請求項９】
前記制御手段は、撮像された動画を所定の時間間隔ごとに分割し、それぞれ独立した動画ファイルとして記録することを特徴とする請求項１または２記載の電子撮像装置。
【請求項１０】
前記制御手段は、撮像された動画を所定のフレームごとに分割し、それぞれ独立した動画ファイルとして記録することを特徴とする請求項１または２記載の電子撮像装置。
【請求項１１】
前記記録媒体に記録されている動画ファイルを再生する再生手段をさらに有し、前記ファイル形態識別手段により動画ファイルが分割されていると判定されたときには、当該分割された動画ファイルを１つのファイルとみなして連続的に再生することを特徴とする請求項８記載の電子撮像装置。
【請求項１２】
各種の情報を表示するための情報表示手段と、
前記記録媒体のマウント時又は該記録媒体が装着されているときと、該電子撮像装置の電源が投入されたときに、前記動画ファイルが前記記録媒体に分割記録されているか否かを前記ファイル形態識別情報により確認する確認手段と、を具備し、
前記動画ファイルが分割記録されていることが確認された場合に、前記情報表示手段に所定の告知を行うことを特徴とする請求項４または５記載の電子撮像装置。
【請求項１３】
前記記録媒体のマウント時又は該記録媒体が装着されているときと、該電子撮像装置の電源が投入されたときに、前記動画ファイルが前記記録媒体に分割記録されているか否かを前記ファイル形態識別情報により確認する確認手段を具備し、
前記動画ファイルが分割記録されていることが確認された場合に、分割記録されている動画ファイルを前記動画合成手段により１つの動作ファイルに合成することを特徴とする請求項４または５記載の電子撮像装置。
【請求項１４】
前記電子撮像装置は装置外部に設けられた情報機器に接続して通信を行うことが可能であり、前記情報機器は、
前記記録媒体に記録された動画ファイルを前記電子撮像装置から受信するための受信手段と、
前記受信手段を介して受信した動画ファイルを前記情報機器内に記録する制御を行う第２の制御手段と、
分割記録された前記動画ファイルを１つの動画ファイルに合成する第２の動画合成手段と、を有し、
前記ファイル形態識別情報に基づいて動画が分割されていることが検出された場合に、当該分割された動画を前記電子撮像装置または前記情報機器のいずれか一方において合成することを特徴とする請求項４または５記載の電子撮像装置。
【請求項１５】
電池の残量を監視する電池残量監視手段をさらに有し、
動画撮影の終了時に前記電池残量監視手段の監視結果に基づいて前記分割された動画を前記動画合成手段により合成するか否かを決定することを特徴とする請求項３〜７のいずれかに記載の電子撮像装置。
【発明の詳細な説明】
【技術分野】
【０００１】
本発明は電子撮像装置に関するものである。
【背景技術】
【０００２】
デジタルカメラ等の電子撮像装置が従来より知られている。このような電子撮像装置において、撮影時に電池切れが発生したり停電が起こった場合に備えて種々の提案がなされている。例えば、特開２００２−２６２２１７号公報には、電池電圧の低下が検出されると、画像データの記録処理のみを優先して行い、さらには記録動作を中止する等の処理を行うことが開示されている。
【０００３】
また、特開平６−２７４４５７号公報には、ファイルへのデータ書き込み中に停電になると電池の出力電圧を検出して、書き込み中のファイルを強制的にクローズする処理を行うことが開示されている。
【特許文献１】特開２００２−２６２２１７号公報
【特許文献２】特開平６−２７４４５７号公報
【発明の開示】
【発明が解決しようとする課題】
【０００４】
上記した先行技術はいずれも動画撮影時の電源電圧の低下について考慮していない。動画撮影において、フッタは撮影時間やフレームレートなどの必要情報が事前にわかっていれば撮影に先立って作成することができるが、撮影中にデータが消失した場合にはデータとの対応がとれなくなるので正常な再生が困難になる。また、フッタを動画撮影の後に作成する方法もあるが、撮影の途中で電池切れが生じた場合はフッタが作成されないので再生可能なように記録を行うことができない。
【０００５】
本発明はこのような課題に着目してなされたものであり、その目的とするところは、電源電圧が低下した場合や、電池切れ、或いは電池を抜去された場合であっても簡単な構成で動画ファイルを再生可能な状態で記録することができる電子撮像装置を提供することにある。
【課題を解決するための手段】
【０００６】
上記の目的を達成するために、第１の発明は、動画を撮影可能な電子撮像装置であって、撮像手段と、前記撮像手段により動画を撮像しているときに、所定の条件を満たすまでに撮像された動画を、該所定の条件を満たした後に撮像された動画とは独立した複数の動画ファイルとして記録媒体に記録する制御を行う制御手段と、を具備する。
【０００７】
また、第２の発明は、第１の発明に係る電子撮像装置において、前記独立した複数の動画ファイルは、それぞれが所定の動画フォーマットに準じた形態を有する。
【０００８】
また、第３の発明は、動画を撮影可能な電子撮像装置であって、動画撮影を開始又は終了させるための操作手段と、撮像手段と、前記撮像手段により撮像された動画を分割し、それぞれ独立した複数の動画ファイルとして記録媒体に記録する制御を行う制御手段と、分割記録された前記動画ファイルを１つの動画ファイルに合成する動画合成手段と、を具備し、前記操作手段により動画撮影が開始されたときに、撮影された動画を前記制御手段により分割して記録媒体に記録するとともに、前記操作手段により動画撮影が終了されたときに、前記動画合成手段により、前記分割記録されている複数の動画ファイルを１つの動画ファイルに合成して記録媒体に記録する。
【０００９】
また、第４の発明は、第１〜第３のいずれかの発明に係る電子撮像装置において、前記記録媒体には、前記動画ファイルを記録するときに動画ファイルが分割されて記録されているかあるいは分割されずに１つの動画ファイルとして記録されているかを識別するためのファイル形態識別情報が記録される。
【００１０】
また、第５の発明は、第４の発明に係る電子撮像装置において、前記ファイル形態識別情報は、動画ファイルのファイル名、付加情報、情報ファイルの少なくとも１つである。
【００１１】
また、第６の発明は、第３〜第５のいずれかの発明に係る電子撮像装置において、前記動画合成手段により動画の一部が合成されて記録媒体に記録されるときに、当該合成に使用した複数の動画ファイルを上書きする。
【００１２】
また、第７の発明は、第３〜第５のいずれかの発明に係る電子撮像装置において、前記動画合成手段は複数の動画ファイルからなるストリームデータをシーケンシャルに合成するとともに、前記複数の動画ファイルの付加情報に基づいて当該合成により新たに作成された動画ファイルの付加情報を生成する。
【００１３】
また、第８の発明は、動画を撮影可能な電子撮像装置であって、撮像手段と、電池の残量を監視する電池残量監視手段と、前記撮像手段により撮像された動画を分割し、それぞれ独立した複数の動画ファイルとして記録媒体に記録する第１の記録モードと、動画を１つのファイルとして記録媒体に記録する第２の記録モードとを有し、前記電池残量監視手段による監視結果に基づいて、前記第１の記録モードまたは前記第２の記録モードを選択して動画の記録を行う制御手段と、を具備する。
【００１４】
また、第９の発明は、第１または第２の発明に係る電子撮像装置において、前記制御手段は、撮像された動画を所定の時間間隔ごとに分割し、それぞれ独立した動画ファイルとして記録する。
【００１５】
また、第１０の発明は、第１または第２の発明に係る電子撮像装置において、前記制御手段は、撮像された動画を所定のフレームごとに分割し、それぞれ独立した動画ファイルとして記録する。
【００１６】
また、第１１の発明は、第８の発明に係る電子撮像装置において、前記記録媒体に記録されている動画ファイルを再生する再生手段をさらに有し、前記ファイル形態識別手段により動画ファイルが分割されていると判定されたときには、当該分割された動画ファイルを１つのファイルとみなして連続的に再生する。
【００１７】
また、第１２の発明は、第４または第５の発明に係る電子撮像装置において、各種の情報を表示するための情報表示手段と、前記記録媒体のマウント時又は該記録媒体が装着されているときと、該電子撮像装置の電源が投入されたときに、前記動画ファイルが前記記録媒体に分割記録されているか否かを前記ファイル形態識別情報により確認する確認手段と、を具備し、前記動画ファイルが分割記録されていることが確認された場合に、前記情報表示手段に所定の告知を行う。
【００１８】
また、第１３の発明は、第４または第５の発明に係る電子撮像装置において、前記記録媒体のマウント時又は該記録媒体が装着されているときと、該電子撮像装置の電源が投入されたときに、前記動画ファイルが前記記録媒体に分割記録されているか否かを前記ファイル形態識別情報により確認する確認手段を具備し、前記動画ファイルが分割記録されていることが確認された場合に、分割記録されている動画ファイルを前記動画合成手段により１つの動作ファイルに合成する。
【００１９】
また、第１４の発明は、第４または第５の発明に係る電子撮像装置において、前記電子撮像装置は装置外部に設けられた情報機器に接続して通信を行うことが可能であり、前記情報機器は、前記記録媒体に記録された動画ファイルを前記電子撮像装置から受信するための受信手段と、前記受信手段を介して受信した動画ファイルを前記情報機器内に記録する制御を行う第２の制御手段と、分割記録された前記動画ファイルを１つの動画ファイルに合成する第２の動画合成手段と、を有し、前記ファイル形態識別情報に基づいて動画が分割されていることが検出された場合に、当該分割された動画を前記電子撮像装置または前記情報機器のいずれか一方において合成する。
【００２０】
また、第１５の発明は、第３〜第７の発明のいずれかに係る電子撮像装置において、電池の残量を監視する電池残量監視手段をさらに有し、動画撮影の終了時に前記電池残量監視手段の監視結果に基づいて前記分割された動画を前記動画合成手段により合成するか否かを決定する。
【発明の効果】
【００２１】
本発明によれば、電源電圧が低下した場合や電池切れ、或いは電池を抜去された場合であっても簡単な構成で動画ファイルを再生可能な状態で記録することができる。
【発明を実施するための最良の形態】
【００２２】
以下、図面を参照して本発明の実施形態を詳細に説明する。図１は、本発明に係る電子撮像装置としてのデジタルカメラの概略構成を示す機能ブロック図である。図１において、全体の制御を行うＣＰＵ１０には、動画撮影を開始又は終了させるための操作部９と、画像処理部（ＡＳＩＣ）２０と、メモリカード等の記録メディア１６と、一時的記憶部としてのＳＤＲＡＭ１９と、電池残量監視手段としての電池電圧チェック部１３が接続され、さらにビデオインタフェース１５を介して情報表示手段としての液晶表示部（ＴＦＴ）１４が、ＣＣＤインタフェース１８を介して撮像素子としてのＣＣＤ１７が、電源制御部１１を介して電源電圧としての電池１２が接続されている。電源制御部１１からは各制御部に電源が供給される。電池電圧チェック部１３は電池１２の電圧のチェックを行う。
【００２３】
以下に電子撮像装置の一般的な動作を説明する。ＣＣＤ１７により被写体を撮像することにより得られた画像データは画像処理部２０で所定の画像処理が施された後、いったんＳＤＲＡＭ１９に書き込まれる。所定フレーム分の動画データがＳＤＲＡＭ１９に格納された時点で、当該画像データは動画ファイルとして記録メディア１６に書き込まれる。このとき、ＣＰＵ１０により動画に関する付加情報（ヘッダ、フッタ等の属性情報）が作成されて動画ファイルとともに記録される。
【００２４】
図２は、クイックタイムで再生可能なモーションＪＰＥＧで使用されるファイル構造を模式的に示す図であり、動画像のインデックスとなるＪＰＥＧプレビュー画像が格納されるヘッダ３０と、動画や音声データが記憶される領域３１と、動画、音声データに関する付加情報が格納されるフッタ３２とから構成される。付加情報には撮影時間（長さ）、データ位置（データオフセット）、フレームレートなどの情報があり、これらの情報をもとに動画の再生が行われる。
【００２５】
本発明では動画を撮影しているときに、所定の条件を満たした場合、例えば電源電圧が低下した場合に、それまでに撮像された動画を、その後に撮像された動画とは独立した複数の動画ファイルとして記録メディア１６に記録することを特徴とする。すなわち、電源電圧が低下した場合には、それまでに撮像された動画を所定の時間単位あるいは所定数のフレーム単位で分割し、分割された各動画にはヘッダとフッタを付加した動画ファイルとし、独立した複数の動画ファイルとして記録するようにする。
【００２６】
図３は、本実施形態に係る画像ファイルの分割処理について説明するための図である。図３に示される各画像ファイル１〜２０にはそれぞれヘッダとフッタとが付加されて独立した分割画像ファイルとなっている。ここで分割動画ファイル名はデジタルカメラのフォーマット規格（ＤＣＦ）で用いられているOLY1xxxx.mov（ｘｘｘｘは番号を表わす）に準じて、OLY10001.mov、OLY10002.mov、…、OLY10020.movとしている。これに対して、通常の動画ファイルには例えば図５に示すように、P101xxxx.mov（ｘｘｘｘは番号を表わす）の形態のファイル名が使用される。従って、ファイル名の先頭を検査することにより、ファイル名の先頭がＯＬＹであれば分割画像ファイルであると判断し、ファイル名の先頭がＰであれば通常の動画ファイルであると判断することができる。
【００２７】
さらに、他の識別方法としては、フッタの部分に分割動画ファイルと通常動画ファイルとを識別するための情報を記録しておくことが考えられる。図４は、付加情報としてのフッタの具体例を示しており、ムービー時間、トラック情報、データオフセット、フレームレート、ユーザエリアから構成されており、ユーザエリアには分割動画ファイルと通常動画ファイルとを識別するための情報が記録されている。ここでは分割動画ファイルであれば“１”を、通常動画ファイルであれば“０”を書き込むことが考えられる。分割動画ファイルとして“１”以外の他の数字を用いれば分割動画ファイルどうしで区別することができる。
【００２８】
また、分割動画ファイルが撮影毎に複数作られた場合に、各分割動画ファイル相互の関連付け情報をユーザエリアに記録する。例えば、１回目の撮影でOLY10001.mov、OLY10002.mov、…、OLY10020.movの２０の動画ファイルからなる分割動画ファイルが記録され、２回目の撮影でOLY20001.mov、OLY20002.mov、…、OLY20020.movの２０の動画ファイルからなる分割動画ファイルが記録された場合に、OLY10001.mov、OLY10002.mov、…、OLY10020.movの２０の動画ファイルを動画撮影の１セットとして識別するインデックス情報として“１”を、同様にOLY20001.mov、OLY20002.mov、…、OLY20020.movの２０の動画ファイルを動画撮影の１セットとして識別するインデックス情報として“２”をユーザエリアに記録する。この情報によって、各撮影で記録された動画ファイルを識別でき、また複数生成された動画ファイル相互の関係も識別可能になる。
【００２９】
さらに、他の識別方法として、図６に示すように、識別情報が各ファイルごとに書き込まれた複数のファイルを合成して１つの情報ファイル（MovInfo1.tmp）を別個に作成することも可能である。
【００３０】
図５は、図３に示す分割動画ファイルを合成して作成された１つの動画ファイル（P1010001.mov）を示している。この場合のヘッダ情報としては画像ファイル１のヘッダ情報を書き込む。データ部分は各画像ファイルのストリームデータをシーケンシャルに合成したものである。付加情報としてのフッタには合成ファイルに対応したムービー時間、データ位置等を計算して記録または更新する。
【００３１】
図７は、本実施形態に係る動画記録の手順を説明するためのフローチャートである。動作撮影が開始されると、まず、電池残量が十分かどうかを判断し（ステップＳ１）、ＹＥＳの場合には通常の動画ファイルを作成する。すなわち、撮影した動画像に対するヘッダを作成して（ステップＳ２）、１フレーム分の画像データをＳＤＲＡＭ１９に記録する（ステップＳ３）。次に、撮影終了かどうかを判断し（ステップＳ４）、ＹＥＳの場合にはステップＳ６に移行してフッタを作成し、その後、終了する。
【００３２】
また、ステップＳ１において電池残量が十分でない場合には図３で説明したような分割ファイルを作成する。まず、ステップＳ１０に移行してヘッダを作成する。次に、動画記録を開始して（ステップＳ１１）、１フレームの画像データを記録する（ステップＳ１２）。次に、撮影が終了かどうかを判断し（ステップＳ１３）、ＹＥＳの場合にはステップＳ６に移行してフッタを作成して終了する。また、ステップＳ１３の判断がＮＯの場合には所定フレーム（１チャンク分）の記録が終了かどうかを判断し（ステップＳ１４）、ＮＯの場合にはステップＳ１２に戻り、ＹＥＳの場合には、フッタを作成して１つの動画ファイルとして記録する（ステップＳ１５）。その後、ステップＳ１０に戻る。
【００３３】
一方、ステップＳ４の判断がＮＯの場合には、所定数のフレーム（ここでは１チャンク分のフレーム）の記録が終了したかどうかを判断し（ステップＳ５）、ＮＯの場合にはステップＳ３に戻って１フレーム分の画像データを記録する。そして、１チャンク分の画像データが記録されたときに、ステップＳ５の判断がＹＥＳとなり、ステップＳ９に移行して電池残量が十分かどうかをもう一度判断し、ＹＥＳの場合にはステップＳ３に移行し、１フレーム分の記録動作を行う。
【００３４】
また、ステップＳ９の判断がＮＯの場合にはフッタの作成（ステップＳ８）、連続動画ファイルを表わすファイル名から分割動画ファイルを表すファイルへのリネーム作業（ステップＳ７）を行って、ステップＳ１０以降を実行する。なお、ステップＳ７は、情報ファイルの作成時あるいはフッタにフラグを挿入するときには不要である。
【００３５】
図８は、分割ファイルの合成処理について説明するためのフローチャートである。まず、動画撮影が開始されると、撮影した画像データに対するヘッダを作成し（ステップＳ２１）、分割ファイルとして１フレーム分の画像データを記録する（ステップＳ２２）。次に、撮影終了かどうかを判断し（ステップＳ２３）、ＮＯの場合には所定フレームの記録が終了したか否かを判断し（ステップＳ２４）、ＮＯの場合にはステップＳ２２に戻る。また、ステップＳ２４の判断がＹＥＳの場合には当該画像データに対するフッタを作成してＳＤＲＡＭ１９に書き込み（ステップＳ２５、Ｓ２６）、ステップＳ２１に戻る。
【００３６】
一方、ユーザからの撮影終了の指示があった場合にはステップＳ２３の判断がＹＥＳとなる。この場合にはステップＳ２７に移行して現在記録中の画像データに対するフッタを作成し、それをＳＤＲＡＭ１９に書き込む（ステップＳ２８）。次に、電池残量が十分かどうかを判断し（ステップＳ２９）、ＹＥＳの場合にはファイル名や識別子に基づく分割ファイルの探索を行うことにより分割ファイル情報を取得する（ステップＳ３０）。次に、複数の分割ファイルを合成して１つの動画ファイルを作成するとともに新しいフッタを作成（ステップＳ３１）して終了する。なお、ステップＳ３１で作成した１つの動画ファイルは、動画合成に使用した複数の動画ファイルに上書きして記録するようにしても良い。
【００３７】
一方、ステップＳ２９の判断がＮＯの場合にはただちに終了する。
【００３８】
図９は、分割動画再生処理の詳細を説明するためのフローチャートである。まず、情報ファイルを参照して分割ファイルに関する情報を取得する（ステップＳ４１）。次に、一連の分割ファイルのうち１つ目の分割ファイルを読み出し（ステップＳ４２）、続いて、２つ目の分割ファイルを読み出す（ステップＳ４３）。次に、読み出した１つ目の分割ファイルの再生を開始する（ステップＳ４４）。そして、好ましくは、１つ目の分割ファイルの再生中に３つ目の分割ファイルの読み出しを行う（ステップＳ４５）。続いて２つ目の分割ファイルの再生中に４つ目の分割ファイルの読み出しを行う（ステップＳ４６）。同様の手順で残りの分割ファイルの再生及び読み出しを行い、最終フレームの再生を行って（ステップＳ４７）、終了する。
【００３９】
このような読み出し・再生処理により、複数の分割ファイルが１つの動画ファイルとして連続的に再生される。なお、上記読み出し・再生中にユーザからの中止命令があった場合には割り込みにより処理が中止される。
【００４０】
図１０は、本撮像装置の起動（電源投入）時のＣＰＵの処理を説明するためのフローチャートである。ユーザにより電源がＯＮされると、まず、電池残量が十分かどうかを判断し（ステップＳ５１）、ＹＥＳの場合には分割ファイル情報の取得（ステップＳ５２）に移行して、ファイル名や識別子に基づいて分割ファイルを探索する。次に、分割ファイルが存在するかどうかを判断し（ステップＳ５３）、ＹＥＳの場合にはＴＦＴ１４に分割ファイルが存在することを告知する（ステップＳ５４）。次に動画ファイルを取得し（ステップＳ５５）、所定数の分割ファイルを合成した後、記録メディア１６に記録する（ステップＳ５６）。その後はレンズセットアップやシステムチェック等のその他の処理に移行する（ステップＳ５７）。
【００４１】
上記の合成処理は、記録メディアのマウント時あるいは記録メディアが装着されているときに所定のタイミングで行なっても良い。
【００４２】
図１１は、本実施形態の方法によりカメラ１００に記録された画像データを情報機器としてのＰＣ２００に送信する場合のシステム構成を示す図である。カメラ１００とＰＣ２００とはＵＳＢ（Universal Serial Bus）３００を介して接続されている。カメラ１００は少なくとも、ＣＰＵ１０１と、記録メディア１０２と、ＵＳＢコントローラ１０３とを備える。また、ＰＣ２００は少なくとも、受信手段を含むデバイスドライバ２０１と、再生ソフトウェア２０２とを備える。
【００４３】
ＰＣ２００内の再生ソフトウェア２０２からファイル転送指示が到来したときに、カメラ１００内のＣＰＵ１０１は記録メディア１０２内の分割ファイルを上記した方法により合成して１つの動画ファイルとしＵＳＢ３００を介してＰＣ２００に送信する。これにより、ＰＣ２００の再生ソフトウェア２０２は１つの画像ファイルとして取り扱うことができる。
【００４４】
なお、カメラ１００内部で分割ファイルを合成するのではなく、ＰＣ２００側に動画合成機能を備えさせることにより、分割ファイルをＰＣ２００内部で合成するようにしてもよい。
【図面の簡単な説明】
【００４５】
【図１】本発明に係る電子撮像装置としてのデジタルカメラの概略構成を示す機能ブロック図である。
【図２】クイックタイムで再生可能なモーションＪＰＥＧで使用されるファイル構造を模式的に示す図である。
【図３】本実施形態に係る画像ファイルの分割処理について説明するための図である。
【図４】フッタの具体例を示す図である。
【図５】合成画像ファイルの一例を示す図である。
【図６】図３に示す分割動画ファイルを合成して作成された１つの動画ファイルを示す図である。
【図７】本実施形態に係る動画記録の手順を説明するためのフローチャートである。
【図８】分割ファイルの合成処理について説明するためのフローチャートである。
【図９】分割動画再生処理の詳細を説明するためのフローチャートである。
【図１０】電源ＯＮ時のＣＰＵの処理を説明するためのフローチャートである。
【図１１】本実施形態の方法によりカメラ１００に記録された画像データをＰＣ２００に送信する場合のシステム構成を示す図である。
【符号の説明】
【００４６】
１０…ＣＰＵ、１１…電源制御部、１２…電池、１３…電池電圧チェック部、１４…ＴＦＴ、１５…ビデオＩ／Ｆ、１６…記録メディア、１７…ＣＣＤ、１８…ＣＣＤＩ／Ｆ、１９…ＳＤＲＡＭ、２０…画像処理部。
【図１】
2005236501.tif 000003
【図２】
2005236501.tif 000004
【図３】
2005236501.tif 000005
【図４】
2005236501.tif 000006
【図５】
2005236501.tif 000007
【図６】
2005236501.tif 000008
【図７】
2005236501.tif 000009
【図８】
2005236501.tif 000010
【図９】
2005236501.tif 000011
【図１０】
2005236501.tif 000012
【図１１】
2005236501.tif 000013